【事件の表示】
　特願２０１５−５２３１４３「電子デバイス・ハウジング及び組み立て方法」拒絶査定不服審判事件〔平成２６年　１月２３日国際公開、ＷＯ２０１４／０１４７７１、平成２７年１１月　５日国内公表、特表２０１５−５３１９０８〕について、次のとおり審決する。
【結　論】
　本件審判の請求は、成り立たない。
【理　由】
１．手続の経緯・本願発明
　本願は、２０１３年７月１２日（優先権主張外国庁受理　２０１２年７月１６日、米国　２０１３年３月１１日、米国）を国際出願日とする出願であって、平成２７年６月２３日付けで拒絶理由通知がなされ、同年９月３０日付けで手続補正がなされたが、同年１０月２７日付けで拒絶査定がなされ、これに対し、平成２８年３月３日付けで拒絶査定不服審判の請求がされるとともに、同時に手続補正がなされ、同年１１月１５日付けで当審で拒絶理由通知がなされ、平成２９年４月１３日付けで手続補正がなされたものである。
　そして、本願の特許請求の範囲の請求項１に係る発明は、平成２９年４月１３日付け手続補正書の特許請求の範囲の請求項１に記載された次のとおりのものと認める。（以下、「本願発明」という。）
　「【請求項１】
　電子デバイスであって、
　少なくとも一つの電子構成要素と、
　材料の単独片からなる第１のハウジングとを備え、この第１のハウジングは、長さと、幅と、これら長さ及び幅の両方よりも小さい高さを規定し、この第１のハウジングは、内部キャビティと、第１のハウジングの幅及び高さに亘る前記内部キャビティへの開口端とを規定する少なくとも五つの側壁を有し、前記電子構成要素は前記内部キャビティ内に包含されており、
　第１のハウジングの開口端へ取り外し可能に取り付けられて、その中の前記電子構成要素へ加えられた保持力に寄与するカバーを備え、
　前記カバーが前記第１のハウジングの開口端に取り付けられると、前記少なくとも一つの電子構成要素は、前記カバーと当該カバーの反対にある前記五つの側壁のうちの一つとの間で連続的に接触しており、
　（１）前記第１のハウジングはポータブル・コンピュータのベース・アセンブリのためのベース・ハウジングであり、前記カバーはヒンジ・アセンブリの第１の部分であり、前記電子デバイスは、前記ヒンジ・アセンブリにより前記ベース・ハウジングへ作動的に接続された蓋アセンブリをさらに含み、または、（２）前記第１のハウジングは、前記ポータブル・コンピュータの蓋アセンブリのための蓋ハウジングであり、
　前記カバーは、前記ヒンジ・アセンブリの第１の部分であり、前記デバイスは、前記ヒンジ・アセンブリにより前記蓋アセンブリへ作動的に接続されたベース・アセンブリを更に含む、電子デバイス。」
２．引用例の記載、引用発明
（引用例１）
　当審の拒絶の理由に引用された、本願の優先日前に頒布された刊行物である、国際公開第２０１０／０３９１３２号（以下、「引用例１」という。）には、図面と共に以下の記載がある。
ａ）「[0015] Referring to FIG. 1 , an example of a notebook computer 10 is shown, according to an embodiment. 
The notebook computer 10 includes a base 22 and a display 20.
The display 20 and the base 22 are connected so that the display 20 and the base 22 can be pivoted relative to one another about at least one hinge
joining the display 20 and the base 22 together.
 
[0016] FIG. 2 is an exploded view of a display 20, according to an embodiment. As shown in the example of FIG. 2, 
a display 20 can include a display panel 30 and a frame 40.
The frame 40 can form an enclosure for display panel 30, such that the frame 40 houses the display panel 30.
 
[0017] 
The frame 40 can have a one-piece construction.
Such a one-piece construction can provide an improved amount of strength and stiffness for the frame 40 and the display 20 that the frame 40 is used in.
 
[0018] As shown in the example of FIG. 2, 
the frame 40 can be formed to be a rectangular box.
the frame 40 can have at least one opening at an end of the frame, such as an opening to insert a display panel 30 into the frame 40.
For example, the frame 40 can include at opening 42 at a bottom end of the frame 40 and an opening 44
 at the top end of the frame 40.
 
[0019] The frame 40 can be made of metal. By making the frame 40 out of metal, the frame 40 can be imparted with a classic metal industrial design look. Furthermore, the metal of the frame 40 can be processed to show the grain pattern of the metal.
 
[0020] The frame 40 can be an extruded frame. For example, the frame 40 can be made of metal that has been extruded in the direction indicated by arrow D in FIG. 2. Due to the extrusion process to make such an extruded frame, the frame 40 would have a metallic grain structure that is deformed and elongated in the direction D of extrusion. An extrusion process can be used as a low-cost manufacturing process to make the frame 40. For example, a long, hollow, single workpiece can be extruded and then cut to length to form the basic shape of the frame 40. Furthermore, such an extrusion process can implement extrusion tooling, which can be relatively lower in cost than the tooling used for other processes, such as, for example, die casting tooling.
 
[0021] As shown in the example of FIG. 2, the frame 40 can include an opening 46, such as an opening 46 that is arranged to provide a view of a display panel 30 within the frame 40. The frame 40 can be processed to form the opening 46. For example, the opening 46 can be formed in the frame 40 by, for example, stamping or machining the frame 40. In another example,  the opening 46 can be formed by computer numerical control (CNC) machining.
 
[0022] The frame 40 can be made of aluminum or an aluminum alloy. The use of aluminum or an aluminum alloy provides the frame 40 with a relatively high strength while providing the frame 40 with a low weight. In another example, the frame 40 can be made of a 6000 series aluminum alloy. In another example, the frame 40 can be made of 6061 aluminum alloy, such as, for example, 6061 aluminum alloy in a T6 heat treated condition.
 
[0023] 
The display 20 can include at least one shock absorbing mount 50.
Such a shock absorbing mount 50 can be joined or connected to the display panel 30 so that the shock absorbing mount 50 absorbs at least a portion of shocks, forces, or stresses that are applied to the display 20.
a shock absorbing mount can provide additional protection for a display panel 30 that is housed within the frame 40 of the display 20.
 
[0024] As shown in the example of FIG. 2, 
the display 20 can include a shock absorbing mount 50 that is joined or connected to the lateral sides 31 of a display panel 30 and/or the top 32 and bottom 33 ends of the display panel 30.
Such shock absorbing mounts 50 can be joined or connected to the sides and/or ends of the display panel 30 as means for joining the display panel 30 to the frame 40
A shock absorbing mount 50 can be joined to a display panel 30 via bonding, fastening, or other ways used in the art.
 
[0025] 
The display 20 can include a top cover 60
 
[0026] As shown in the example of FIG. 2, 
the display 20 can include a base assembly 70.
a base assembly 70 can be configured to join the display 20 to a base 22 of a notebook computer 10.
The base assembly 70 can, for example, include at least one hinge or at least one hinge portion 72 that joins the display 20 to the base 22.
a hinge or hinge portion 72 can include a clutch mechanism that is configured to maintain a viewing angle between the display 20 and the base 22
（当審訳：[0015]図１を参照すると、実施例として、ノートブック型コンピュータ１０の例が示されている。
ノートブック型コンピュータ１０はベース２２とディスプレイ２０を備え
ディスプレイ２０とベース２２とを結合する少なくとも１つのヒンジ
により、ディスプレイ２０とベース２２が相対的に回転可能なように、ディスプレイ２０とベース２２は接続されて
[0016]図２は、実施例としての、ディスプレイ２０の分解図である。図２の例に示すように、
ディスプレイ２０はディスプレイパネル３０とフレーム４０を含むことができ
フレーム４０がディスプレイパネル３０を収容するように、フレーム４０はディスプレイパネル３０のためのエンクロージャを形成することができ
[0017]
フレーム４０は一体構造を有することができ
そのような一体構造は、強度と剛性の改善を、フレーム４０とフレーム４０を用いたディスプレイ２０に提供することができ
[0018]図２の例に示すように、
フレーム４０は矩形箱に形成することができ
フレーム４０は、フレームの端部に少なくとも１つの開口、例えば、ディスプレイパネル３０をフレーム４０に挿入する開口を有することができ
例えば、フレーム４０は、フレーム４０の下端部の開口４２とフレーム４０の上端部の開口４４
を含むことができる
[0019]フレーム４０は、金属から作ることができる。金属からフレーム４０を作ることによって、古典的な金属工業デザインの外観を与えることができる。さらにまた、フレーム４０の金属は、金属の粒子柄を呈するために処理することができる。
[0020]フレーム４０は押出成形されたフレームであり得る。例えば、フレーム４０は、図２に矢印Ｄで示される方向に押し出された金属により製造し得る。そのような押し出されたフレームを作るための押し出しプロセスにより、フレーム４０は、押し出し方向Ｄに変形し延ばされた金属粒子構造を有する。押し出しプロセスは、フレーム４０を作るための低コスト製造プロセスとして用いることができる。例えば、長く、中空で、単一のワークピースが押し出され、次いで、フレーム４０の基本的な形状を形成する長さに切断することができる。さらにまた、そのような押し出しプロセスは、例えば、ダイキャストの機械設備等の他のプロセスのために用いられる機械設備よりも比較的低コストである、押し出しの機械設備により実現することができる。
[0021]図２の例に示すように、フレーム４０は、フレーム４０内にディスプレイパネル３０の表示を提供するように構成される開口部４６である、開口部４６を含むことができる。フレーム４０は、開口部４６を形成するように処理することができる。例えば、開口部４６は、例えばフレーム４０を打ち抜き加工または機械加工することにより、フレーム４０に形成することができる。別の例では、開口部４６は、コンピュータ数値制御（ＣＮＣ）機械加工により形成することができる。
[0022]フレーム４０は、アルミニウムまたはアルミニウム合金により製造することができる。アルミニウムまたはアルミニウム合金の使用は、軽量のフレーム４０を提供しながら、比較的高強度のフレーム４０を提供する。別の例では、フレーム４０は、６０００系アルミニウム合金により製造することができる。別の例では、フレーム４０は、例えば、Ｔ６熱処理条件による６０６１アルミニウム合金である、６０６１アルミニウム合金により製造することができる。
[0023]
ディスプレイ２０は、少なくとも１つの衝撃吸収マウント５０を含むことができ
そのような衝撃吸収マウント５０は、衝撃吸収マウント５０がディスプレイ２０に印加される少なくとも一部の衝撃、力、またはストレスを吸収するように、ディスプレイパネル３０に接合または接続され得
衝撃吸収マウントは、ディスプレイ２０のフレーム４０内に収容されるディスプレイパネル３０に追加的な保護を提供することができ
[0024]図２の例に示すように、
ディスプレイ２０は、ディスプレイパネル３０の側面３１および／またはディスプレイパネル３０の上端３２と下端３３へ接合または接続される衝撃吸収マウント５０を含むことができ
そのような衝撃吸収マウント５０は、ディスプレイパネル３０をフレーム４０に接合するために、ディスプレイパネル３０側部および／または端部に接合または接続することができ
衝撃吸収マウント５０は、衝撃吸収マウント５０に転送される衝撃、力、またはストレスを有益に吸収する材料により形成することができ
衝撃吸収マウント５０は、接着、締結、または当該技術分野で用いられるその他の方法により、ディスプレイパネル３０に接合されることができ
[0025]図２の例に示すように、
ディスプレイ２０は、上部カバー６０を含むことができ
[0026]図２の例に示すように、
ディスプレイ２０は、ベースアセンブリ７０を含むことができ
ベースアセンブリ７０は、ディスプレイ２０をノートブック型コンピュータ１０のベース２２へ結合するように構成することができる
ベースアセンブリ７０は、例えば、ディスプレイ２０をベース２２へ結合する少なくとも１つのヒンジまたは少なくとも１つのヒンジ部分７２を含むことができ
ヒンジまたはヒンジ部分７２は、ディスプレイ２０とベース２２間の視野角を維持するように構成されるクラッチ機構を含むことができ
ｂ）「[0028] 
The frame 40
includes guides 49 formed within lateral side surfaces of the frame 40
（当審訳:[0028]
フレーム４０は、
フレーム４０横側面内に形成されたガイド４９を有
ｃ）「[0030] In another example, the guide 49 can formed to accommodate a shock absorbing mount 50. For example, the guide 49 can accommodate a shock absorbing mount 50 that is joined or connected to a display panel 30. As shown in the example of FIG. 4B, 
a guide 49 can connect a display panel 30 to the frame 40 by positioning a shock absorbing mount 50 that is joined or connected to a display panel 30 within the guide 49 which is formed in a surface of the frame 40.
the guide 49 can position and hold a display panel 30 within the frame 40 by positioning a shock absorbing mount 50 within the guide 49.
（当審訳:[0030]別の例では、ガイド４９は、衝撃吸収マウント５０を収容するように形成されることができる。例えば、ガイド４９は、ディスプレイパネル３０に接合または接続された衝撃吸収マウント５０を収容できる。図４Ｂの例に示すように、
ガイド４９は、フレーム４０の表面に形成されたガイド４９内への、ディスプレイパネル３０に接合または接続された衝撃吸収マウント５０の位置決めによって、ディスプレイパネル３０をフレーム４０に接続でき
ガイド４９は、ガイド４９内への衝撃吸収マウント５０の位置決めにより、フレーム４０内にディスプレイパネル３０を位置決めしそして保持でき
ｄ）「[0034] According to an embodiment, a method of making a display 20 for a notebook computer 10 is provided. The method can, for example, include the steps of providing a frame 40 and inserting a display panel 30 into the frame 40. The display 20, including the frame 40 and display panel 30, can be configured and formed according to the embodiments and examples described herein. For example, 
the display panel 30 can be inserted into the frame 40 by inserting the display panel 30 into an opening of the frame 40,
through opening 42
or through opening 44
（当審訳：[0034]一つの実施例によれば、ノート型コンピュータ１０のディスプレイ２０の製造方法が提供される。この方法は、例えば、フレームを提供し、そして、ディスプレイパネル３０をフレーム４０に挿入するステップを含むことができる。フレーム４０とディスプレイパネル３０を含むディスプレイ２０は、ここに記載された実施形態および実施例に従って構成され、そして形成されることができる。例えば、図２の例に矢印Ｄで示された方向に
開口部４２を通す、または、
開口部４４を通すように、ディスプレイパネル３０をフレーム４０の開口に挿入することによって、ディスプレイパネル３０は、フレーム４０に挿入される
ｅ）図２によれば、
上部カバー６０は、フレーム４０の開口部４４を塞ぐように取り付けられ、ベースアセンブリ７０は、フレーム４０の開口部４２を塞ぐように取り付けられ
ｆ）図２によれば、
フレーム４０は、長さと、幅と、これら長さ及び幅の両方よりも小さい高さを規定し、開口部４２は、フレームの幅及び高さに亘る
　したがって、上記引用例１の摘記事項及び図面に記載されたノートブック型コンピュータの構成によれば、上記引用例１には、以下の発明（以下、「引用発明」という。）が開示されている。
（引用発明）
「ノートブック型コンピュータ１０はベース２２とディスプレイ２０を備え、ディスプレイ２０とベース２２とを結合する少なくとも１つのヒンジにより、ディスプレイ２０とベース２２が相対的に回転可能なように、ディスプレイ２０とベース２２は接続されているものであり、
　ディスプレイ２０はディスプレイパネル３０とフレーム４０を含むことができ、
　フレーム４０がディスプレイパネル３０を収容するように、フレーム４０はディスプレイパネル３０のためのエンクロージャを形成することができ、フレーム４０は一体構造を有することができ、そのような一体構造は、強度と剛性の改善を、フレーム４０とフレーム４０を用いたディスプレイ２０に提供することができ、フレーム４０は矩形箱に形成することができ、フレーム４０は、フレームの端部に少なくとも１つの開口、例えば、ディスプレイパネル３０をフレーム４０に挿入する開口を有することができ、例えば、フレーム４０は、フレーム４０の下端部の開口４２とフレーム４０の上端部の開口４４を含むことができるものであり、
　ディスプレイ２０は、少なくとも１つの衝撃吸収マウント５０を含むことができ、そのような衝撃吸収マウント５０は、衝撃吸収マウント５０がディスプレイ２０に印加される少なくとも一部の衝撃、力、またはストレスを吸収するように、ディスプレイパネル３０に接合または接続され得るものであり、衝撃吸収マウントは、ディスプレイ２０のフレーム４０内に収容されるディスプレイパネル３０に追加的な保護を提供することができ、
　ディスプレイ２０は、ディスプレイパネル３０の側面３１および／またはディスプレイパネル３０の上端３２と下端３３へ接合または接続される衝撃吸収マウント５０を含むことができ、そのような衝撃吸収マウント５０は、ディスプレイパネル３０をフレーム４０に接合するために、ディスプレイパネル３０側部および／または端部に接合または接続することができ、衝撃吸収マウント５０は、衝撃吸収マウント５０に転送される衝撃、力、またはストレスを有益に吸収する材料により形成することができ、衝撃吸収マウント５０は、接着、締結、または当該技術分野で用いられるその他の方法により、ディスプレイパネル３０に接合されることができるものであり、
　ディスプレイ２０は、上部カバー６０を含むことができ、
　ディスプレイ２０は、ベースアセンブリ７０を含むことができ、ベースアセンブリ７０は、ディスプレイ２０をノートブック型コンピュータ１０のベース２２へ結合するように構成することができ、ベースアセンブリ７０は、例えば、ディスプレイ２０をベース２２へ結合する少なくとも１つのヒンジまたは少なくとも１つのヒンジ部分７２を含むことができ、ヒンジまたはヒンジ部分７２は、ディスプレイ２０とベース２２間の視野角を維持するように構成されるクラッチ機構を含むことができるものであり、
　フレーム４０は、フレーム４０横側面内に形成されたガイド４９を有し、ガイド４９は、フレーム４０の表面に形成されたガイド４９内への、ディスプレイパネル３０に接合または接続された衝撃吸収マウント５０の位置決めによって、ディスプレイパネル３０をフレーム４０に接続でき、ガイド４９は、ガイド４９内への衝撃吸収マウント５０の位置決めにより、フレーム４０内にディスプレイパネル３０を位置決めしそして保持でき、
　開口部４２を通す、または、開口部４４を通すように、ディスプレイパネル３０をフレーム４０の開口に挿入することによって、ディスプレイパネル３０は、フレーム４０に挿入され、
　上部カバー６０は、フレーム４０の開口部４４を塞ぐように取り付けられ、
　ベースアセンブリ７０は、フレーム４０の開口部４２を塞ぐように取り付けられ、
　フレーム４０は、長さと、幅と、これら長さ及び幅の両方よりも小さい高さを規定し、開口部４２は、フレームの幅及び高さに亘る
　ノートブック型コンピュータ１０。」
（引用例２）
　当審の拒絶の理由に引用された、本願の優先日前に頒布された刊行物である、国際公開第２００３／０１００２７５号（以下、「引用例２」という。）には、図面と共に以下の記載がある。
ｇ）「[0018]  Referring to the drawings, a mobile phone has a metal enclosure  5  formed according to the present invention. The mobile phone includes the enclosure  5 , a rear cover  4 , and an electronic component assembly. 
The enclosure  5  is formed as a single piece, and has a top wall  51 , a bottom wall  54 , and a periphery wall  53  between the top and bottom walls  51 ,  54 .
The walls  51 ,  53 ,  54  cooperatively define a rear opening  57  at a rear end of the enclosure  5 .
[0019]   FIGS. 2A and 2B  show a process of forming the enclosure  5 . Firstly, a piece of metal stock  3  is provided. The metal stock  3  is made of ductile metal such as aluminum or aluminum alloy. The metal stock  3  is placed in a die cavity  22  of a die  2 . The metal stock  3  has a shape similar to that of the cavity  22 , and a size smaller than that of the cavity  22 . A space of about 1-3 mm is defined between each side face of the metal stock  3  and a corresponding abutting wall of the die  2 . The size of the space corresponds to a thickness of the walls  51 ,  53 ,  54  of the enclosure  5 . A punch  1  has a stamping head  11 . The stamping head  11  has a shape and size substantially the same as the shape and size of the metal stock  3 . The punch  1  is repeatedly moved up and down to cause the stamping head  11  to repeatedly impact the metal stock  3 . The metal stock  3  is thereby impact extruded such that a portion thereof flows upwardly along the spaces between the die  2  and the punch  1 . Accordingly, the enclosure  5  is formed once the said portion of the metal stock has flown upwardly a sufficient distance. To help the metal stock  3  to flow, the metal stock is heated to and maintained at a temperature of 400-500℃. during the impact extrusion. 
[0020]  The top wall  51  of the enclosure  5  is stamped to define the top holes  512  for the keys  62  and the rectangular opening  511  for the window  71 . The periphery wall  53  is stamped with two side holes  531 ,  532 , for accommodating function keys  631 ,  632 . A recess  541  is defined in a rear portion of an inside surface of the bottom wall  54  of the enclosure  5 . A transverse groove  56  is defined in the inside surface of the bottom wall  54 , between the recess  541  and a rear edge of the bottom wall  54 . Finally, surface treatments such as anodization and lacquering are applied to the enclosure  5 , to give the enclosure  5  a protective coating and an attractive appearance. 
[0021]  Referring particularly to  FIG. 4 , in assembly of the mobile phone, the window  71  is fitted in the rectangular opening  511 . The keys  62 ,  631 ,  632  are respectively located in corresponding top holes  512  and side holes  531 ,  532 . The electronic component assembly is positioned in the bracket  9 . The upper space of the bracket  9  receives the upper circuitry module  81 , and the lower space of the bracket  9  receives the lower battery module  82 . The combined bracket  9  and electronic component assembly is inserted into the enclosure  5  via the rear opening  57 . When the combined bracket  9  and electronic component assembly is fully inserted in the enclosure  5 , the protrusion (not shown) of the bracket  9  snaps into the recess  541  of the bottom wall  54  of the enclosure  5 . The combined bracket  9  and electronic component assembly is thereby fixed in the enclosure  5 . 
[0022]  Referring particularly to  FIG. 5 , 
the rear cover  4  is 
attached to the rear of the enclosure  5  at the rear opening  57 .
A bottom edge of the rear cover  4  is snappingly fitted into the groove  56  of the bottom wall  54  of the enclosure  5 .
The rear cover  4  thus securely covers the rear opening  57 .
[0023]  In the present invention, the enclosure  5  is a one-piece component. Because the enclosure  5  has no joints, it is strong enough to withstand considerable shock. In addition, it provides excellent protection from EMI. Furthermore, it has a smooth attractive appearance.」
（当審訳：[0018]図面を参照すると、携帯電話は、本発明にしたがって形成された金属製の筐体５を有する。この携帯電話は、筐体５、リアカバー４そして電子部品アセンブリを含む。
筐体５は、単一の部品として構成され、そして、上壁５１、下壁５４、そして上、下壁５１，５４間の周壁５３を有する。壁５１，５３，５４は、協働して筐体５の後端の後部開口５７を画成する。
[0019]図２Ａと２Ｂは、筐体５を形成する工程を示す。第１に、金属材料片が提供される。金属材料３は、アルミニウムまたはアルミニウム合金のような延性金属でできている。金属材料３は、ダイ２のダイキャビティ２２内に配置される。金属材料３は、キャビティ２２の形状に類似した形状を有し、また、キャビティ２２のサイズより小さいサイズを有する。約１〜３ｍｍの空間が、金属材料３のそれぞれの側面とダイ２の対応する隣接する壁との間に形成される。空間のサイズは、筐体５の壁５１，５３，５４の厚さに相当する。パンチ１は、打ち抜きヘッド１１を有する。打ち抜きヘッド１１は、金属材料３の形状とサイズと実質的に同じ形状とサイズを有している。パンチ１は、打ち抜きヘッド１１が金属材料３に繰り返し衝撃を与えるように、上下動を繰り返す。金属材料３は、それによって、ダイ２とパンチ１の間の空間に沿ってその一部が上方へ流れるように、衝撃で押し出される。したがって、金属材料の上記の部分が十分な距離上方に流れると、筐体５が形成される。金属材料３が流れるのを助けるために、金属材料は、衝撃押出成形の間、４００〜５００℃の温度に加熱され、そして維持される。
[0020]筐体５の上壁５１は、キー６２のための上部穴５１２と窓７１のための矩形開口５１１を形成するために打ち抜かれる。周辺壁５３は、ファンクションキー６３１，６３２に適合するための２つの側穴５３１，５３２が打ち抜かれる。凹部５４１は、筐体５の底壁５４の内面の後部に形成される。横溝５６は、凹部５４１と底壁５４の後端の間の底壁５４の内面に形成される。最後に、筐体５に保護膜と魅力的な外観を与えるために、陽極処理およびラッカー塗りのような表面処理が筐体５に適用される。
[0021]特に図４を参照して、携帯電話の組み立てにおいて、窓７１は、矩形開口５１１にはめ込まれる。キー６２，６３１，６３２は、対応する上部穴５１２と側穴５３１，５３２にそれぞれ配置される。電子部品アセンブリは、ブラケット９に位置決めされる。ブラケット９の上部空間は、上部回路モジュール８１を受容し、ブラケット９の下部空間は、下部電池モジュール８２を受容する。結合されたブラケット９と電子部品アセンブリは、後部開口５７を介して筐体５に挿入される。結合されたブラケット９と電子部品アセンブリが完全に筐体５に挿入されたとき、ブラケット９の突起（図示せず）は、筐体５の底壁５４の凹部５４１にはまる。結合されたブラケット９と電子部品アセンブリは、それによって筐体５に固定される。
[0022]特に図５を参照すると、それから、
リアカバー４は、後部開口５７において、筐体５の後部に取り付けられる。リアカバー４の底端部は、筐体５の底壁５４の溝５６にスナップ的にはめ込まれる。リアカバー４は、それで後部開口５７を確実に覆う。
[0023]本発明では、筐体５は、一体構成物である。筐体５が接続部を有していないため、それは、かなりの衝撃に耐えるのに十分強い。その上、それは、ＥＭＩからの優れた保護を提供する。さらにまた、それは、滑らかな魅力的な外観を有する。）
３．対比、一致点、相違点
　本願発明と引用発明とを対比する。
あ）引用発明の「ノートブック型コンピュータ」は、本願発明の「電子デバイス」に相当する。
い）本願の明細書に「柔軟な挿入体１００は、ベース１２の様々な内部構成要素の間に配置することができる。」（【００６２】）等と記載され、また、図６に「ハウジング２４」の側壁の１つと「バッテリ６８」との間や、「ボード・アセンブリ７４」（審判注：図中に「８４」とあるのは「７４」の誤記と認める。）と「ヒンジ・アセンブリ１８」との間に「挿入体１００」が配置されていることが示されていることを考慮すれば、本願発明の「前記カバーと当該カバーの反対にある前記五つの側壁のうちの一つとの間で連続的に接触」している「電子構成要素」は、詳細な説明に記載された「内部構成要素」とその間に配置された「挿入体１００」とを指すものと認められる。
　一方、引用発明の「衝撃吸収マウント」は、「ディスプレイ２０に印加される少なくとも一部の衝撃、力、またはストレスを吸収するように、ディスプレイパネル３０に接合または接続」され、「ディスプレイパネル３０をフレーム４０に接合するために、ディスプレイパネル３０側部および／または端部に接合または接続する」ものであり、引用発明の「ディスプレイパネル」は、「フレーム４０に挿入」されるものであるから、引用発明の「衝撃吸収マウント」が接続された「ディスプレイパネル」は、本願発明の「少なくとも一つの電子構成要素」に相当するといえる。
　なお、仮に、本願発明の「電子構成要素」が「挿入体１００」を含まないものとしても、引用発明の「衝撃吸収マウント」も「少なくとも１つ」を「含むことができる」ような任意の省略可能な構成要素であるから、これを除いた引用発明を認定できる。そして、このとき、引用発明の「ディスプレイパネル」は、単独で本願発明の「少なくとも一つの電子構成要素」に相当するので、結局、両者の相当関係は変わらない。この点については、後記相違点３の検討についても同様である。
う）引用発明の「フレーム」は、「ディスプレイパネル３０のためのエンクロージャを形成」し、「一体構造を有する」ものであり、「矩形箱に形成することができ、」「フレームの端部に少なくとも１つの開口、例えば、ディスプレイパネル３０をフレーム４０に挿入する開口を有することができ、例えば、フレーム４０は、フレーム４０の下端部の開口４２とフレーム４０の上端部の開口４４を含むことができるもの」であり、また、「フレーム４０は、長さと、幅と、これら長さ及び幅の両方よりも小さい高さを規定し、開口部４２は、フレームの幅及び高さに亘る」から、引用発明が「フレーム」を含むものであることは、本願発明の「材料の単独片からなる第１のハウジングとを備え、この第１のハウジングは、長さと、幅と、これら長さ及び幅の両方よりも小さい高さを規定し、この第１のハウジングは、内部キャビティと、第１のハウジングの幅及び高さに亘る前記内部キャビティへの開口端とを規定する少なくとも五つの側壁を有し、前記電子構成要素は前記内部キャビティ内に包含され」るものであることと、「材料の単独片からなる第１のハウジングとを備え、この第１のハウジングは、長さと、幅と、これら長さ及び幅の両方よりも小さい高さを規定し、この第１のハウジングは、内部キャビティと、第１のハウジングの幅及び高さに亘る前記キャビティへの開口端とを規定する側壁を有し、前記電子構成要素は前記内部キャビティ内に包含され」るものである点で一致するといえる。
え）引用発明の「ベースアセンブリ」は、「フレーム４０の開口部４２を塞ぐように取り付けられる」ものであるから、本願発明の「第１のハウジングの開口端へ取り外し可能に取り付けられて、その中の前記電子構成要素へ加えられた保持力に寄与するカバー」とは、「第１のハウジングの開口端へ取り付けられるカバー」である点で一致するといえる。
お）引用発明は「ノートブック型コンピュータ１０はベース２２とディスプレイ２０を備え、ディスプレイ２０とベース２２とを結合する少なくとも１つのヒンジにより、ディスプレイ２０とベース２２が相対的に回転可能なように、ディスプレイ２０とベース２２は接続されているもの」であり、「ディスプレイ２０はディスプレイパネル３０とフレーム４０を含むことができ」るものであり、ノートブック型コンピュータにおいてディスプレイを有する部分を「蓋」側と称することが極めて一般的であること考慮すれば、引用発明の「ディスプレイパネル３０のためのエンクロージャを形成」するものである「フレーム」は、本願発明の「前記第１のハウジングは、前記ポータブル・コンピュータの蓋アセンブリのための蓋ハウジング」に相当するといえる。
か）引用発明の「ベースアセンブリ」が「ディスプレイ２０をベース２２へ結合する少なくとも１つのヒンジまたは少なくとも１つのヒンジ部分７２を含む」ものであることは、本願発明の「カバーは、前記ヒンジ・アセンブリの第１の部分」であることに相当し、引用発明の「ノートブック型コンピュータ１０」は、「ヒンジまたはヒンジ部分７２は、ディスプレイ２０とベース２２間の視野角を維持するように構成されるクラッチ機構を含むことができ」るものであり、「ディスプレイ２０とベース２２とを結合する少なくとも１つのヒンジにより、ディスプレイ２０とベース２２が相対的に回転可能なように、ディスプレイ２０とベース２２は接続されている」ものであるから、引用発明が「ベース２２」を備えることは、本願発明の「デバイスは、前記ヒンジ・アセンブリにより前記蓋アセンブリへ作動的に接続されたベース・アセンブリを更に含む」ことに相当する。
き）上記お）及び　か）より、引用発明は、本願発明の「（２）前記第１のハウジングは、前記ポータブル・コンピュータの蓋アセンブリのための蓋ハウジングであり、
　前記カバーは、前記ヒンジ・アセンブリの第１の部分であり、前記デバイスは、前記ヒンジ・アセンブリにより前記蓋アセンブリへ作動的に接続されたベース・アセンブリ」を含むことに相当する構成を有するといえる。
　そして、本願発明は、「（１）前記第１のハウジングはポータブル・コンピュータのベース・アセンブリのためのベース・ハウジングであり、前記カバーはヒンジ・アセンブリの第１の部分であり、前記電子デバイスは、前記ヒンジ・アセンブリにより前記ベース・ハウジングへ作動的に接続された蓋アセンブリをさらに含」む構成と、「（２）前記第１のハウジングは、前記ポータブル・コンピュータの蓋アセンブリのための蓋ハウジングであり、前記カバーは、前記ヒンジ・アセンブリの第１の部分であり、前記デバイスは、前記ヒンジ・アセンブリにより前記蓋アセンブリへ作動的に接続されたベース・アセンブリを更に含む」構成とが、択一的な構成であるから、引用発明は、本願発明の「（１）前記第１のハウジングはポータブル・コンピュータのベース・アセンブリのためのベース・ハウジングであり、前記カバーはヒンジ・アセンブリの第１の部分であり、前記電子デバイスは、前記ヒンジ・アセンブリにより前記ベース・ハウジングへ作動的に接続された蓋アセンブリをさらに含み、または、（２）前記第１のハウジングは、前記ポータブル・コンピュータの蓋アセンブリのための蓋ハウジングであり、
　前記カバーは、前記ヒンジ・アセンブリの第１の部分であり、前記デバイスは、前記ヒンジ・アセンブリにより前記蓋アセンブリへ作動的に接続されたベース・アセンブリを更に含む」ことに相当する構成を有するといえる。
　したがって、両者は以下の一致点と相違点を有する。
〈一致点〉
「電子デバイスであって、
　少なくとも一つの電子構成要素と、
　材料の単独片からなる第１のハウジングとを備え、この第１のハウジングは、長さと、幅と、これら長さ及び幅の両方よりも小さい高さを規定し、この第１のハウジングは、内部キャビティと、第１のハウジングの幅及び高さに亘る前記内部キャビティへの開口端とを規定する側壁を有し、前記電子構成要素は前記内部キャビティ内に包含されており、
　第１のハウジングの開口端へ取り付けられるカバーを備え、
　（１）前記第１のハウジングはポータブル・コンピュータのベース・アセンブリのためのベース・ハウジングであり、前記カバーはヒンジ・アセンブリの第１の部分であり、前記電子デバイスは、前記ヒンジ・アセンブリにより前記ベース・ハウジングへ作動的に接続された蓋アセンブリをさらに含み、または、（２）前記第１のハウジングは、前記ポータブル・コンピュータの蓋アセンブリのための蓋ハウジングであり、
　前記カバーは、前記ヒンジ・アセンブリの第１の部分であり、前記デバイスは、前記ヒンジ・アセンブリにより前記蓋アセンブリへ作動的に接続されたベース・アセンブリを更に含む、電子デバイス。」
〈相違点１〉
　本願発明の「第１のハウジング」は、「少なくとも五つの側壁を有」するものであるのに対し、引用発明の「フレーム」は、「下端部の開口４２」と「上端部の開口４４」を含むことができ、「上部カバー」が「フレーム」とは別に設けられ、「フレーム」の「側壁」は四つである点。
〈相違点２〉
　本願発明の「カバー」は、開口端へ「取り外し可能に」取り付けられるものであるのに対し、引用発明の「ベースアセンブリ」は、「フレーム４０の開口部４２を塞ぐように取り付けられる」ものではあるものの、取り外し可能とはされていない点。
〈相違点３〉
　本願発明の「カバー」は、開口端へ取り付けられると、「その中の前記電子構成要素へ加えられた保持力に寄与する」ものであり、「前記少なくとも一つの電子構成要素は、前記カバーと当該カバーの反対にある前記五つの側壁のうちの一つとの間で連続的に接触する」ものであるのに対し、引用発明は、「フレーム」の開口部に取り付けられた「ベースアセンブリ」、「衝撃吸収マウント」が接続された「ディスプレイパネル」、「上部カバー」とが連続的に接触するとはされていない点。
４．当審の判断
〈相違点１について〉
　引用発明の「フレーム」は、「ディスプレイパネル」を挿入するために開口を有するものであり、「端部に少なくとも１つの開口」を有すれば足るものであると共に、「一体構造」とすることにより「強度と剛性の改善」を提供するものであるから、開口部の一方を一体構造の側壁で塞ぐ、特に、単なるカバーが取り付けられる開口部である開口部４４を一体構造の側壁で塞ぐことにより、更に強度と剛性の改善を提供し得ることは当業者には明らかであり、また、引用例２に、「筐体５は、単一の部品として構成され、そして、上壁５１、下壁５４、そして上、下壁５１，５４間の周壁５３を有する。壁５１，５３，５４は、協働して筐体５の後端の後部開口５７を画成する。」（段落[0018]参照。）と記載されるように、単一の開口を有する一体構造の筐体が本願の優先日前周知のものであったことを考慮すれば、引用発明において、「フレーム」の一方の開口部を一体構造の側壁で塞ぎ、本願発明の上記相違点１に係る構成とすることは、当業者が容易になし得たことである。
〈相違点２について〉
　例えば、引用例２に「リアカバー４は、後部開口５７において、筐体５の後部に取り付けられる。リアカバー４の底端部は、筐体５の底壁５４の溝５６にスナップ的にはめ込まれる。リアカバー４は、それで後部開口５７を確実に覆う。」（段落[0022]参照。）と記載されるように、例えば、メンテナンス性等を考慮して、筐体の開口部を覆う部材を取り外し可能に取り付けることは、本願の優先日前周知技術であり、引用発明において、「ベースアセンブリ」を「フレーム」に取り付ける際に、取り外し可能に取り付けることは、当業者が必要に応じ適宜なし得る設計事項にすぎない。
〈相違点３について〉
　引用発明は、「フレーム４０横側面内に形成されたガイド４９」「内への、ディスプレイパネル３０に接合または接続された衝撃吸収マウント５０の位置決めによって」、「フレーム４０内にディスプレイパネル３０を位置決めしそして保持」する、すなわち、「衝撃吸収マウント」が接続された「ディスプレイパネル」は、「フレーム」内面に接触し、いわゆる左右方向において位置決めされるものである。
　そして、引用発明の「衝撃吸収マウント」が接続された「ディスプレイパネル」は、「上部カバー」、「フレーム」、「ベースアセンブリ」から成る筐体（エンクロージャ）内に収容されるものであるから、「衝撃吸収マウント」が接続された「ディスプレイパネル」が前記筐体内で位置決めされ保持されるように、「衝撃吸収マウント」が接続された「ディスプレイパネル」を「フレーム」のみならず「上部カバー」や「ベースアセンブリ」とも接触し、いわゆる上下方向においても位置決めし保持されるものとするのが自然であり、そのように接触させることは、当業者が容易になし得ることである。
　そして、引用発明において、「衝撃吸収マウント」が接続された「ディスプレイパネル」を「上部カバー」や「ベースアセンブリ」と接触させたものでは、「ベースアセンブリ」は、「フレーム」の開口部を塞ぐように取り付けられ、その中の「衝撃吸収マウント」が接続された「ディスプレイパネル」へ加えられた保持力に寄与するものといえる。
　また、引用発明において、「衝撃吸収マウント」が接続された「ディスプレイパネル」を「上部カバー」や「ベースアセンブリ」と接触させたものは、「衝撃吸収マウント」が接続された「ディスプレイパネル」が、「ベースアセンブリ」と「ベースアセンブリ」の反対にある側壁となる「上部カバー」との間で連続的に接続するものといえる。
　したがって、引用発明において、本願発明の上記相違点３に係る構成とすることは、当業者が容易になし得たことである。
（なお、上記「３．い）」のなお書きのとおり、引用発明の「衝撃吸収マウント」は任意の省略可能な構成要素であるから、仮にこれを省略するとしても、その点に格別の困難性はない。）
　そして、効果についてみても、引用発明に対する上記各周知技術の採用に伴って予測し得ない格別顕著なものが本願発明にあるとも認められない。
５．審判請求人の平成２９年４月１３日付け意見書における主張について
　審判請求人は、平成２９年４月１３日付け意見書において、「（ｅ２）　しかしながら、引用例１では、ディスプレイパネルを収容するフレームの構成については開示は有りますが、ノートブック型コンピュータの他の筐体、すなわち、キーボードが収容される筐体については何らの言及もありません。
　（ｆ）　・・・引用例１では、ディスプレイパネルを収容するハウジングの構成が言及されていますが、その他の電子構成要素を本願発明のように収容する構成については、何らの言及もありません。引用例１の目的が、ディスプレイ装置の強度と剛性とを高めることに向けられているため、ディスプレイパネル装置以外の電子構成要素を収容するハウジングについて、本願発明のような構成をとることについて、示唆すらないことは、当業者にとっても明らかである」と主張している。
　しかしながら、本願発明において、「第１のハウジング」を「蓋ハウジング」とした構成では、「ベース・アセンブリ」は「ヒンジ・アセンブリにより前記蓋アセンブリへ作動的に接続」される構成が規定されるのみであり、本願発明の「ベース・アセンブリ」は、引用発明のヒンジにより「ディスプレイ２０」と結合される「ベース２２」に相当し、審判請求人の主張は採用できない。
６．むすび
　以上のとおり、本願発明は、引用発明及び各周知技術に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。